(57)【特許請求の範囲】
【請求項１】
透水性がある地盤であって、かつ人畜無害な地盤で、しっかりした強度の地盤を得ることができる物質として、リンゴ酸とブドウ糖を主成分とすることを特徴とする土壌固化剤。
【請求項２】
前記土壌固化剤は液体又は粉末であることを特徴とする請求項１記載の土壌固化剤。
【請求項３】
前記土壌固化剤は、助剤として塩化ナトリウム又は炭酸水素ナトリウムを用いることを特徴とする請求項1記載の土壌固化剤。
【請求項４】
土壌と，透水性がある地盤であって、かつ人畜無害な地盤で、しっかりした強度の地盤を得ることができる物質として、リンゴ酸とブドウ糖を主成分とする土壌固化剤とを混合、攪絆した後、加圧固化せしめて圧密構造に形成したことを特徴とする土壌固化法。
【請求項５】
透水性がある地盤であって、かつ人畜無害な地盤で、しっかりした強度の地盤を得ることができる物質であるリンゴ酸とブドウ糖を主成分とする土壌固化剤を土に均一に散布し、該土の表面のみを固化せしめることを特徴とする土壌固化法。
【請求項６】
透水性がある地盤であって、かつ人畜無害な地盤で、しっかりした強度の地盤を得ることができる物質であるリンゴ酸とブドウ糖を主成分とする土壌固化剤を含有する土壌を圧密固化してなることを特徴とする透水性及び強度を有する圧密固化地盤。
【発明の詳細な説明】
【０００１】
【産業土の利用分野】
この発明は、各種土工事による固化に於いて、土壌汚染、地下水汚染等の二次被害等、有害な問題を解決したり、あるいは飛散の恐れのある土の表面を固化して風害の防止をしたり、盛土の法面の補強、道路工事、宅地造成等の各種用途の土改良に関するもので、土の固化改良分野に使用される土壌固化剤及び土壌固化法並びに圧密固化地盤に関するものである。
【０００２】
【従来の技術】
従来、土質の改良材料は重金属を含むセメント系固化剤、大量の石灰、大量の普通セメントを使用し強引な改良方法により土質強度を上げていたために、土壌汚染、地下水汚染等の二次被害等の問題を引き起こすものであった。
【０００３】
【発明が解決しようとする課題】
上記従来の土質改良材料を使用した場合、次のような欠点があった。
(イ)  重金属を含むセメント系固化剤の場合、重金属による土壌への汚染は免れなかった      。又、これによる地下水への影響も考える必要があつた。
(ロ)  大量の石灰、普通セメント使用の場合は発熱量が大きくなり作業が危険であるばか      りでなく、固化後、ひび割れが発生したり、不安定なものであり、セメント等の攪      絆時も完全な攪拌が難しくむらがあった。
【０００４】
また上記石灰、普通セメントの使用の場合は土壌自体を殺すこととなり、セメント等の固化後において、透水性が悪化し、土質改良材料を使用した境界において新たな軟弱層が発生してしまう事もあり、土質改良材料として十分ではなかった。
【０００５】
(ハ)  さらに、石灰、普通セメントを使用する場合、大量の微粉体を使用するため、セメ      ント等の攪拌時に粉塵の問題が発生した。
(ニ)  また、石灰、普通セメントを使用する場合、土粒子自体は有機質土壌特有の改善が      行われないため密度の荒い改良となり空隙の多い透水性のない改良地盤となり、強      度にむらもあった。
【０００６】
本発明は上記の点に鑑みてなされたもので、その目的とするところは土壌汚染の問題が解消され、かつ固めた地盤は透水性があり、土を自然の形で生かしながら、固化でき、強度を上げることができるとともに風害防止等を兼ねた土壌固化剤及び土壌固化法並びに圧密固化地盤を提供することにある。
【０００７】
【課題を解決するための手段】
本発明に係る土壌固化剤は透水性がある地盤であって、かつ人畜無害な地盤で、しっかりした強度の地盤を得ることができる物質として、リンゴ酸とブドウ糖を主成分とすることを特徴とする。土壌が酸性、アルカリ性、金属、無機物等によってその土壌固化剤の配合量を変える。
【０００８】
請求項1記載の土壌固化剤は液体又は粉末であることを特徴とする。
【０００９】
また、前記土壌固化剤は、助剤として塩化ナトリウム又は炭酸水素ナトリウムを用いることを特徴とする。
【００１０】
本発明に係る土壌固化法は、土壌と，透水性がある地盤であって、かつ人畜無害な地盤で、しっかりした強度の地盤を得ることができる物質として、リンゴ酸とブドウ糖を主成分とする土壌固化剤とを混合、攪絆した後、加圧固化せしめて圧密構造に形成したことを特徴とする。
【００１１】
また本発明に係る土壌固化法は、透水性がある地盤であって、かつ人畜無害な地盤で、しっかりした強度の地盤を得ることができる物質であるリンゴ酸とブドウ糖を主成分とする土壌固化剤を土に均一に散布し、該土の表面のみを固化せしめるものである。
【００１２】
本発明に係る透水性及び強度を有する圧密固化地盤は、透水性がある地盤であって、かつ人畜無害な地盤で、しっかりした強度の地盤を得ることができる物質であるリンゴ酸とブドウ糖を主成分とする土壌固化剤を含有する土壌を圧密固化してなることを特徴とする。
【００１３】
【作用】
本発明に係る土壌固化剤はリンゴ酸及びブドウ糖分子が有機質の土粒子1つ1つに働きかけ、 1つ1つの土粒子を包み込み、土粒子を分割して無機質の粒の状態にし、きれいに整列させ、その後、加圧して締め固めることで、透水性のあるしっかりした強度の地盤を得ることが可能な、リンゴ酸とブドウ糖を主成分とする土壌固化剤である。
土の性質によっては土壌固化剤としてリンゴ酸又はブドウ糖を主成分として単独使用する場合もあるが、リンゴ酸とブドウ糖を主成分として併用した場合は、土壌の凝固がスムーズに行われる。ブドウ糖は土の有機分を好む性質があり、リンゴ酸はその周りを被覆する。
【００１４】
本発明は、以上のような構成よりなる液体、粉体にて使用目的に応じて選べる土壌固化剤に関するものである。
対象阻害成分が例えばふかふかな有機質成分の土とすると、リンゴ酸により包み込まれ無機質な物となり、それ同士をブドウ糖等によりつなぎ合わせ、加圧して締め固めることで、土を死滅させることなく、ひび割れ等の被害も防止でき、土を自然な形で改良する事が容易に出来る。
【００１５】
さらに本発明は土の表面に本発明に係る土壌固化剤を均―に散布することにより、土の表面のみを固化せしめて土砂の飛散防止と土砂の養生を簡単にできる。
【００１６】
【実施例】
実施例１
有機質成分の土壌１．６ｔｏｎ／ｍ3に対し、水1リットルとリンゴ酸１５ｇとブドウ糖１０ｇの混合液からなる土壌固化剤を２％(前記混合液３２リットル分)を添加して攪拌し、ローラーにて締め固めて圧密構造の改良地盤を得た。
得られた改良地盤は水を透過させることができ、強固な圧密固化地盤が得られた。
【００１７】
実施例２
ヘドロ等の含水率の高い土壌である軟弱地盤に対して、炭酸水素ナトリウムを添加して土粒子と土粒子の間の水分を除去し、含水率を下げ、リンゴ酸とブドウ糖の各顆粒状の粉末を混合した土壌固化剤を添加して攪絆し、ローラーにて締め固めて圧密構造の改良地盤を得た。得られた改良地盤は水を透過させることができ、強固な圧密固化地盤が得られた。
【００１８】
実施例３
盛土の法面を補強する場合、道路工事、宅地の造成等において飛散の恐れのあ
る土の表面に、水1リットルとリンゴ酸３０ｇブドウ糖５０ｇの混合液からなる土壌固化剤を、その土の表面に均―に散布することにより、表面のみを固化し風による飛散防止を図ることができ、土砂飛散防止と、土砂の養生を簡単にできる。
【００１９】
【発明の効果】
本発明は上記の説明から判ように、本発明に係る土壌固化剤は人畜無害のものであり、対象土壌に混入、散布、撹件することにより、有機質土壌の土粒子1つ1つを包み込み分割する。この分割された土粒子を締め固めることにより、ブドウ糖及びリンゴ酸がそれをつなぎ止め、土を自然な形で生かし、透水性を維持しながら固化でき、強度を土げることが出来、きわめて確実に実現できる。
【００２０】
即ち、本発明に係る土壌固化剤を使用した土壌固化法並びに圧密固化地盤は、土壌汚染の問題が解消され、かつ固めた地盤は透水性があり、土を自然の形で生かしながら、固化でき、強度を上げることができる。
【００２１】
また本発明は、土の表面に土壌固化剤を均―に散布することにより、土の表面のみが固化することとなり、土砂の飛散防止と、土砂の養生を簡単にできる。